(57)【要約】【課題】送信者が受取人に対して定期的に送付する広告、案内、通知などをより印象深いものにでき、これらを連続した情報として自主的に保管、あるいは掲示するように促すことができるダイレクトメール用印刷物を提供する。【解決手段】ダイレクトメール用印刷物に、長辺の中央部近傍の両端部に形成された折り線兼切り込み線２ａ、２ｂと、長辺の両端部近傍にそれぞれ短辺に平行に形成された第１、第２の折り線３−１、３−２と、一方の短辺から上記第１または第２の折り線に向かって、長手方向と平行に形成される第１、第２のミシン目あるいは切り込み線４ａ、４ｂとを形成し、自立及び連結可能にしている。受取人に連結あるいは自立させることを促すことで破棄され難くなり、受取人やその周囲の人物の目に触れる機会を増大させ、広告や告知の効果を高めたり、忘却を防止したりできる。【選択図】図１
0003178320.tif 000002
【実用新案登録請求の範囲】
【請求項１】
長辺の中央部近傍の両端部に形成された折り線兼切り込み線と、長辺の両端部近傍にそれぞれ短辺に平行に形成された第１、第２の折り線と、一方の短辺から上記第１または第２の折り線に向かって、長手方向と平行に形成される第１、第２のミシン目あるいは切り込み線とを具備することを特徴とするダイレクトメール用印刷物。
【請求項２】
前記折り線兼切り込み線に沿って折曲した第１の折曲部により形成される頂部と、前記第１、第２の折り線に沿って前記第１の折曲部と同じ方向に折曲した第２、第３の折曲部により形成される底部とを有し、この底部で自立させることを特徴とする請求項１に記載のダイレクトメール用印刷物。
【請求項３】
前記折り線兼切り込み線と前記第１または第２の折り線との間に設けられ、脱着可能な粘着シートに情報が表示された表示領域を更に備え、自立させたときに前記表示領域の粘着シートを、上下を逆にして貼り代えることを特徴とする請求項２に記載のダイレクトメール用印刷物。
【請求項４】
前記折り線兼切り込み線と前記第１の折り線との間に設けられ、前記折り線兼切り込み線に対応する位置を除く領域がミシン目によって囲まれた第１の表示領域と、前記折り線兼切り込み線と前記第２の折り線との間に設けられ、情報が表示された第２の表示領域とを更に備え、前記第１の表示領域がミシン目から切り離され、自立させたときに前記第１の折曲部により形成される頂部上に前記第１の表示領域がポップアップして表示されることを特徴とする請求項２に記載のダイレクトメール用印刷物。
【請求項５】
前記第１、第２のミシン目あるいは切り込み線に沿って切り込みを入れた第１、第２の切り込み部と、これら第１、第２の切り込み部間の前記第１または第２の折り線に沿って折曲されることで前記第１、第２のミシン目あるいは切り込み線の両側に形成された第１、第２の紙片とを有する第１の印刷物と、前記折り線兼切り込み線に沿って切り込みを入れた第３、第４の切り込み部を有する第２の印刷物において、前記第１の印刷物の第１、第２の紙片を前記第２の印刷物の第３、第４の切り込み部にそれぞれ挿入して連結されることを特徴とする請求項１に記載のダイレクトメール用印刷物。
【請求項６】
長辺の中央部近傍の両端部に形成された第１の折り線兼切り込み線と、長辺の一端側近傍の両端部に短辺と平行に形成された第２の折り線兼切り込み線と、長辺の他端側近傍に短辺と平行に形成された折り線と、一方の短辺から前記折り線に向かって、長手方向と平行に形成される第１、第２のミシン目あるいは切り込み線とを具備することを特徴とするダイレクトメール用印刷物。
【請求項７】
前記第１の折り線兼切り込み線に沿って折曲した第１の折曲部により形成される頂部と、前記第２の折り線兼切り込み線と前記折り線に沿ってそれぞれ前記第１の折曲部と同じ方向に折曲した第２、第３の折曲部により形成される底部とを有し、この底部で自立させることを特徴とする請求項６に記載のダイレクトメール用印刷物。
【請求項８】
前記第１、第２の折り線兼切り込み線間に設けられ、脱着可能な粘着シートに情報が表示された表示領域を更に備え、自立させたときに前記表示領域の粘着シートを、上下を逆にして貼り代えることを特徴とする請求項７に記載のダイレクトメール用印刷物。
【請求項９】
前記第１、第２の折り線兼切り込み線間に設けられ、前記第１の折り線兼切り込み線に対応する位置を除く領域がミシン目によって囲まれた第１の表示領域と、前記第１の折り線兼切り込み線と前記折り線との間に設けられ、情報が表示された第２の表示領域とを更に備え、前記第１の表示領域がミシン目から切り離され、自立させたときに前記第１の折曲部により形成される頂部上に前記第１の表示領域がポップアップして表示されることを特徴とする請求項７に記載のダイレクトメール用印刷物。
【請求項１０】
前記第１、第２のミシン目あるいは切り込み線に沿って切り込みを入れた第１、第２の切り込み部と、これら第１、第２の切り込み部間の前記折り線に沿って折曲されることで前記第１、第２のミシン目あるいは切り込み線の両側に形成された第１、第２の紙片とを有する第１の印刷物と、前記第１または第２の折り線兼切り込み線に沿って切り込みを入れた第３、第４の切り込み部を有する第２の印刷物において、前記第１の印刷物の第１、第２の紙片を前記第２の印刷物の第３、第４の切り込み部にそれぞれ挿入して連結されることを特徴とする請求項６に記載のダイレクトメール用印刷物。
【考案の詳細な説明】
【技術分野】
【０００１】
本考案は、郵便を使った広告、案内、通知などのダイレクトメールや、宅配便を利用したメール便などに用いられるダイレクトメール用印刷物に関するものである。
【背景技術】
【０００２】
ダイレクトメールは、広告主が特定の個人あるいは法人宛に商品案内やカタログを郵便やメール便を使って直接メッセージを送付する方法による宣伝や販売促進手段、あるいは営業支援の仕組みであり、広告主である送信者が受取人である顧客やユーザに対して、定期的に葉書等の配達物を送付するということが日常的に行われている。
【０００３】
ダイレクトメールの主な目的は、一般的に「新しい商品やサービスの案内を行うこと」であるが、隠れた意図としては「広告主である送信者の存在を忘れないようにすること」が考えられ、定期的に送付することが重要である。
【０００４】
送信者としては、送付したダイレクトメール用印刷物を常に目につくところに保管、あるいは掲示して記載内容を繰り返し読んでほしいと考えている。しかし、現実には、受信者は一旦内容を確認した後は破棄したり、放置・紛失したりすることによって目につかない状態になってしまうことが多い。
【０００５】
そこで、例えば特許文献１に、カード、葉書または郵便物の一部分を加工または切り離して支持具とすることで、立たせることができるようにしたものが開示されている。これにより、受信者が送付物を常に目につくところに保管、あるいは掲示することを促進でき、受取人やその周囲の人物の目に触れる機会を増大させ、広告や告知の効果を強めたり、忘却を防止したりするなど、利便性を高めている。また、特別な用具を用いなくとも、写真付き葉書やオリジナルカレンダーを手軽に美しく飾り付けることが可能になる、とされている。
【先行技術文献】
【特許文献】
【０００６】
【特許文献１】特開２０００−３０１８６５号公報
【考案の概要】
【考案が解決しようとする課題】
【０００７】
しかしながら、上述した特許文献１では、カード、葉書及び郵便物などを単独で利用することしか考慮していないために表示できる情報が限られ、定期的に送付された案内などを広告主が意図した通りに顧客やユーザが利用するとは限らない。
【０００８】
本考案は、上記のような事情に鑑みてなされたもので、その目的とするところは、送信者が受取人に対して定期的に送付する広告、案内、通知などをより印象深いものにでき、これらを連続した情報として自主的に保管、あるいは掲示するように促すことができるダイレクトメール用印刷物を提供することにある。
【課題を解決するための手段】
【０００９】
本考案に係るダイレクトメール用印刷物においては、長辺の中央部近傍の両端部に形成された折り線兼切り込み線と、長辺の両端部近傍にそれぞれ短辺に平行に形成された第１、第２の折り線と、一方の短辺から上記第１または第２の折り線に向かって、長手方向と平行に形成される第１、第２のミシン目あるいは切り込み線とを具備することで、上述した課題を解決した。
【００１０】
また、前記折り線兼切り込み線に沿って折曲した第１の折曲部により形成される頂部と、前記第１、第２の折り線に沿って前記第１の折曲部と同じ方向に折曲した第２、第３の折曲部により形成される底部とを有し、この底部で自立させることで、上述した課題を解決した。
【００１１】
更に、前記折り線兼切り込み線と前記第１または第２の折り線との間に設けられ、脱着可能な粘着シートに情報が表示された表示領域を更に備え、自立させたときに前記表示領域の粘着シートを、上下を逆にして貼り代えることで、上述した課題を解決した。
【００１２】
また、前記折り線兼切り込み線と前記第１の折り線との間に設けられ、前記折り線兼切り込み線に対応する位置を除く領域がミシン目によって囲まれた第１の表示領域と、前記折り線兼切り込み線と前記第２の折り線との間に設けられ、情報が表示された第２の表示領域とを更に備え、前記第１の表示領域がミシン目から切り離され、自立させたときに前記第１の折曲部により形成される頂部上に前記第１の表示領域がポップアップして表示されることで、上述した課題を解決した。
【００１３】
この他、前記第１、第２のミシン目あるいは切り込み線に沿って切り込みを入れた第１、第２の切り込み部と、これら第１、第２の切り込み部間の前記第１または第２の折り線に沿って折曲されることで前記第１、第２のミシン目あるいは切り込み線の両側に形成された第１、第２の紙片とを有する第１の印刷物と、前記折り線兼切り込み線に沿って切り込みを入れた第３、第４の切り込み部を有する第２の印刷物において、前記第１の印刷物の第１、第２の紙片を前記第２の印刷物の第３、第４の切り込み部にそれぞれ挿入して連結されることで、上述した課題を解決した。
【００１４】
また、本考案に係るダイレクトメール用印刷物においては、長辺の中央部近傍の両端部に形成された第１の折り線兼切り込み線と、長辺の一端側近傍の両端部に短辺と平行に形成された第２の折り線兼切り込み線と、長辺の他端側近傍に短辺と平行に形成された折り線と、一方の短辺から前記折り線に向かって、長手方向と平行に形成される第１、第２のミシン目あるいは切り込み線とを具備することで、同じく上述した課題を解決した。
【００１５】
更に、前記第１の折り線兼切り込み線に沿って折曲した第１の折曲部により形成される頂部と、前記第２の折り線兼切り込み線と前記折り線に沿ってそれぞれ前記第１の折曲部と同じ方向に折曲した第２、第３の折曲部により形成される底部とを有し、この底部で自立させることで、上述した課題を解決した。
【００１６】
また、前記第１、第２の折り線兼切り込み線間に設けられ、脱着可能な粘着シートに情報が表示された表示領域を更に備え、自立させたときに前記表示領域の粘着シートを、上下を逆にして貼り代えることで、上述した課題を解決した。
【００１７】
この他、前記第１、第２の折り線兼切り込み線間に設けられ、前記第１の折り線兼切り込み線に対応する位置を除く領域がミシン目によって囲まれた第１の表示領域と、前記第１の折り線兼切り込み線と前記折り線との間に設けられ、情報が表示された第２の表示領域とを更に備え、前記第１の表示領域がミシン目から切り離され、自立させたときに前記第１の折曲部により形成される頂部上に前記第１の表示領域がポップアップして表示されることで、上述した課題を解決した。
【００１８】
加えて、前記第１、第２のミシン目あるいは切り込み線に沿って切り込みを入れた第１、第２の切り込み部と、これら第１、第２の切り込み部間の前記折り線に沿って折曲されることで前記第１、第２のミシン目あるいは切り込み線の両側に形成された第１、第２の紙片とを有する第１の印刷物と、前記第１または第２の折り線兼切り込み線に沿って切り込みを入れた第３、第４の切り込み部を有する第２の印刷物において、前記第１の印刷物の第１、第２の紙片を前記第２の印刷物の第３、第４の切り込み部にそれぞれ挿入して連結されることで、上述した課題を解決した。
【考案の効果】
【００１９】
本考案に係るダイレクトメール用印刷物によれば、受取人にダイレクトメールで送った印刷物を連結あるいは自立させることを促すことで破棄され難くなる。また、送付した印刷物が、受取人やその周囲の人物の目に触れる機会を増大させることができ、その結果として広告や告知の効果を高めたり、忘却を防止したりすることが可能になる。
【００２０】
また、折曲部あるいは切り込み部を共通化することで情報を表示する表示領域への干渉を最小限に抑えることができる。
【００２１】
更に、簡単な加工によって、特殊な工具も必要とせずに連結及び自立させることができ、組み立ての手間も最小限で済む。
【図面の簡単な説明】
【００２２】
【図１】本考案の第１の実施形態に係るダイレクトメール用印刷物の一例として、葉書を用いる場合の斜視図である。
【図２】図１に示した葉書を自立させる場合の手順を示す斜視図である。
【図３】図１に示した葉書を二枚連結する場合の手順を示す斜視図である。
【図４】図１に示した葉書を二枚連結した状態を示す斜視図である。
【図５】本考案の第２の実施形態に係るダイレクトメール用印刷物の一例として、葉書を用いる場合の斜視図である。
【図６】図５に示した葉書を自立させる場合の手順を示す斜視図である。
【図７】葉書を二枚連結する場合の変形例を示す斜視図である。
【考案を実施するための形態】
【００２３】
以下に、本考案を実施するための形態を、図面を参照して説明する。
【００２４】
図１は、本考案の第１の実施形態に係るダイレクトメール用印刷物の一例として、葉書を用いる場合の斜視図である。この葉書１の長辺の中央部近傍の両端部には、折り線兼切り込み線２ａ、２ｂが設けられている。この折り線兼切り込み線２ａ、２ｂには、ミシン目が形成されていても良い。また、長辺の両端部近傍にはそれぞれ、短辺に平行に第１、第２の折り線３−１、３−２が形成されている。更に、一方の短辺から上記折り線３−２に向かって長手方向と平行にミシン目または切り込み線４ａ、４ｂが形成されている。
【００２５】
上記葉書１の第１、第２の折り線３−１、３−２間の表示領域には、カレンダーＡ（例えば１月）と案内文が上記折り線兼切り込み線２ａ、２ｂ、上記折り線３−１、３−２、ミシン目または切り込み線４ａ、４ｂなどと干渉しないように印刷されている。また、この葉書１の利用方法が挿絵や説明文などにより表示されている。
【００２６】
上記葉書１を受け取った受取人は、上記利用方法の説明に従って、図２（ａ）に示すように、折り線兼切り込み線２ａ、２ｂに沿って葉書１を二つ折りにし、第１、第２の折り線３−１、３−２に沿って両端を内側に折り込む。そして、葉書１の両端の折りたたみ部５ａ、５ｂの先端（短辺）同士を合わせるか、あるいは折りたたみ部５ａ、５ｂを重ねることで机やテーブルなどに自立可能になるので、例えば図２（ｂ）に示すように卓上カレンダーとして用いることができる。この際、必要に応じて折りたたみ部５ａ、５ｂの先端（短辺）を合わせた状態、あるいは折りたたみ部５ａ、５ｂを重ねた状態で、粘着テープやステープラーなどで固定することで安定化できる。
【００２７】
ここで、折りたたんで自立させるとカレンダーＡの裏面側は上下が逆になるので、この部分を脱着可能な粘着シートなどに表示しておき、自立させたときに、必要に応じて上下を逆にして貼り代えるようにすると両面を利用できる。この際、印刷効率を考慮して、裏面側だけでなくカレンダーＡも脱着可能な粘着シートなどに表示しても良い。
【００２８】
受取人が次の葉書６を受け取ったときには、図３（ａ）に示すように葉書１の折り線兼切り込み線２ａ、２ｂと折り線３−１、３−２に沿った折曲部を延ばして広げ、ミシン目または切り込み線４ａ、４ｂに切り込みを入れ、これらの間の折り線３−２に沿って上方に折り曲げる。葉書６には葉書１と実質的に同じ位置に、折り線兼切り込み線２ａ、２ｂ、折り線３−１、３−２、ミシン目または切り込み線４ａ、４ｂなどが形成されており、これらと干渉しない位置に葉書１に表示したカレンダーＡに続く、カレンダーＢ（例えば２月）と案内文が表示されている。
【００２９】
そして、図３（ｂ）に示すように、葉書６の折り線兼切り込み線２ａ、２ｂに沿って切り込みを入れ、葉書１の折りたたみ部５ｂの両端の紙片５ａ−１、５ａ−２をこの切り込みに挿入し、図３（ｃ）に示すように、紙片５ａ−１、５ａ−２を上方に折り曲げて葉書１と葉書６を連結する。この時、葉書１の折り線兼切り込み線２ａ、２ｂと、折り線３−１は特に使用しない。また、葉書６の折り線３−１、３−２、及びミシン目または切り込み線４ａ、４ｂも同様に使用しない。
【００３０】
これによって、図４に示すように、葉書１と葉書６のカレンダーＡとＢ（例えば１月と２月）が連続した状態で連結される。同様な操作を繰り返すことにより、三枚以上の葉書を連結することができる。もちろん、必要に応じて葉書１と葉書６の連結部を粘着テープやステープラーなどで固定しても良い。
【００３１】
上記のような構成によれば、受取人に葉書等の印刷物を連結あるいは自立させることを促すことで破棄され難くなる。また、送付した印刷物が、受取人やその周囲の人物の目に触れる機会を増大させることができ、その結果として広告や告知の効果を高めたり、忘却を防止したりすることが可能になる。
【００３２】
しかも、カレンダーなどの情報は単独での使用よりも、連結して連続した情報として見た方がより理解が深まり、より印象深いものになる。
【００３３】
更に、葉書の連結や自立は、簡単な加工によって組み立ての手間も最小限で済む。この際、特殊な工具を必要とせず、例えば家庭や職場で良く使われているはさみ、ステープラーもしくは粘着テープなどがあれば良い。
【００３４】
図５は、本考案の第２の実施形態に係るダイレクトメール用印刷物の一例として、葉書を用いる場合の斜視図である。この第２の実施形態は、葉書が簡易型のペーパークラフトになっており、一部がポップアップするものである。すなわち、図５（ａ）に示すように、第１の折り線３−１と折り線兼切り込み線２ａ、２ｂとの間の領域に、ミシン目７が形成され、このミシン目７内に例えばマスコットやキャラクター８の絵（写真でも良い）が描かれている。ミシン目７は、折り線兼切り込み線２ａ、２ｂに対応する位置を除いて形成され、マスコットやキャラクター８が表示された領域（第１の表示領域）が囲まれている。他の基本的な構成は上記図１と同様であるので、同一部分に同じ符号を付してその詳細な説明は省略する。
【００３５】
この葉書１を受け取った受取人は、利用方法の説明に従って、図５（ｂ）に示すようにミシン目７を切り離して内側のマスコットやキャラクター８を立ち上げ、図６（ａ）に示すように折り線兼切り込み線２ａ、２ｂに沿って葉書１を二つ折りにし、第１、第２の折り線３−１、３−２に沿って両端を内側に折り込む。そして、葉書１の両端の折りたたみ部５ａ、５ｂの先端（短辺）同士を合わせるか、あるいは折りたたみ部５ａ、５ｂを重ねる。この際、必要に応じて折りたたみ部５ａ、５ｂの先端（短辺）を合わせた状態、あるいは折りたたみ部５ａ、５ｂを重ねた状態で、粘着テープやステープラーなどで固定することで安定化できる。
【００３６】
一方、二枚以上連結する場合には、第１の実施形態と同様にすれば良い。
【００３７】
上記のような構成によれば、机やテーブルなどに自立させたときに、図６（ｂ）に示すように、卓上カレンダー（第２の表示領域）の上にマスコットやキャラクター８（第１の表示領域）がポップアップした状態になる。よって、単なる三角形の卓上カレンダーではなく、マスコットやキャラクター８が加わることでより広告や告知の効果を高めることができる。
【００３８】
尚、図５及び図６では、単純なマスコットやキャラクター８を例に取って説明したが、ポップアップカードのように、より複雑な構成にすることで顧客やユーザの興味を引き、印象深いものにすることができる。また、仕掛け絵本のように飛び出したり、紙片が動いたりするような構成にしても良いのはもちろんである。
【００３９】
図７は、葉書を二枚連結する場合の変形例を示す斜視図である。この変形例は、上述した第１の実施形態における葉書１、６の上側の第１の折り線３−１の位置に、折り線兼切り込み線２ａ’、２ｂ’を形成している。他の部分は上記図１と同様であるので、同一部分に同じ符号を付してその詳細な説明は省略する。
【００４０】
上記のような構成において、葉書１、６を自立させる場合には、第１の実施形態と同様にする。この際、折り線兼切り込み線２ａ、２ｂと折り線兼切り込み線２ａ’、２ｂ’は折り線として利用することになる。ここで、第２の実施形態と同様に、マスコットやキャラクターが表示された領域を、折曲部により形成される頂部上にポップアップして表示するようにしても良い。
【００４１】
一方、葉書１と６を連結する場合には、まず、図７（ａ）に示すように、葉書１のミシン目または切り込み線４ａ、４ｂに切り込みを入れ、これらの間を折り線３−２に沿って上方に折り曲げる。また、葉書６の折り線兼切り込み線２ａ’、２ｂ’に切り込みを入れる。そして、図７（ｂ）に示すように、葉書１の折りたたみ部５ｂの両端の紙片５ａ−１、５ａ−２をこの切り込みに挿入し、図７（ｃ）に示すように、紙片５ａ−１、５ａ−２を上方に折り曲げる。
【００４２】
これによって、図７（ｃ）に示すように、葉書１と葉書６が連結され、第１の実施形態より葉書１、６の広い範囲を表示領域に利用することができる。同様な操作を繰り返すことにより、三枚以上の葉書を連結することができるのはもちろんである。また、必要に応じて葉書６の折り線兼切り込み線２ａ’、２ｂ’と折り線兼切り込み線２ａ、２ｂとを選択的に用いるようにしても良い。
【００４３】
なお、本考案は上述した第１、第２の実施形態、及び変形例に限定されるものではなく、種々の変形が可能である。例えば、印刷物として葉書を例に取って説明したが、郵便を使った広告、案内、通知などのダイレクトメールや、宅配便を利用したメール便などの紙葉類を用いた様々な印刷物に適用可能である。
【００４４】
この他、葉書を縦に連結するようにしたが、横に連結するようにしても良く、折り線兼切り込み線２ａ、２ｂ、第１、第２の折り線３−１、３−２、及びミシン目または切り込み線４ａ、４ｂの位置も上述した第１、第２の実施形態に限定されるものではなく、要旨を逸脱しない範囲で種々変形が可能である。また、折り線兼切り込み線２ａ、２ｂ、第１、第２の折り線３−１、３−２、及びミシン目または切り込み線４ａ、４ｂを破線で示したが、破線以外の線や色付きの線で表現しても良いのはもちろんである。
【００４５】
更に、表示する情報としてカレンダーを例に取って説明したが、送付する頻度や対象とする顧客やユーザの性別、年齢、趣味や購入物などの嗜好に合わせて、写真画像、絵画、漫画、動植物の成長、あるいは工事の進捗などの日々変化するものを掲載して報告するようにしても良い。また、写真画像や絵画の場合には季節によって異なる風景、漫画であれば４通を１セットにした４コマ漫画のように起承転結を一通ずつ送ることで、受取人の印象を深くして破棄、放置、あるいは紛失され難くできる。
【００４６】
加えて、「しりとり」にみたてて連続した情報を掲載したり、安全、衛生あるいはモチベーションアップなどの啓蒙ツールにしたりすることもできる。
【００４７】
あるいは、棒グラフを表示するようにして、届いた分を連結することによりグラフが伸びるようにしても良い。この棒グラフを出欠表に用いたり、課題に対して回答を提出すると次の案内が届き、連結すると棒グラフが延びるようにしたりすることで、顧客やユーザが自主的に保管、あるいは掲示するように促すことができる。
【符号の説明】
【００４８】
１    葉書
２ａ、２ｂ、２ａ’、２ｂ’    折り線兼切り込み線
３−１、３−２    第１、第２の折り線
４ａ、４ｂ    ミシン目または切り込み線
５ａ、５ｂ    折りたたみ部
５ａ−１、５ａ−２    紙片
６    葉書
７    ミシン目
８    マスコットやキャラクター
Ａ、Ｂ    カレンダー
【図１】
0003178320.tif 000003
【図２】
0003178320.tif 000004
【図３】
0003178320.tif 000005
【図４】
0003178320.tif 000006
【図５】
0003178320.tif 000007
【図６】
0003178320.tif 000008
【図７】
0003178320.tif 000009